(57)【要約】【課題】鋸歯等の切断具が無くても良好なカット性を発現し、かつその効果を収納したフィルムを使い切るまで維持することのできるラップフィルム収納箱。【解決手段】巻回されたフィルムを収納する箱であって、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）を有する収納箱において、掩蓋片（１）の先端縁（８）の両端部の少なくとも一方が切欠き部（９）を有し、切欠き部（９）によって形成される２つの角のうち、掩蓋片（１）の先端縁（８）の端に近い方をＡとし、他方をＰとしたとき、切欠き部（９）のＡ側の辺が掩蓋片（１）の先端縁（８）となす角度θが９０度未満である、前記収納箱。【選択図】図１
2014141262.tif 000002
【特許請求の範囲】
【請求項１】
巻回されたフィルムを収納する箱であって、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）を有する収納箱において、掩蓋片（１）の先端縁（８）の両端部の少なくとも一方が切欠き部（９）を有し、切欠き部（９）によって形成される２つの角のうち、掩蓋片（１）の先端縁（８）の端に近い方をＡとし、他方をＰとしたとき、切欠き部（９）のＡ側の辺が掩蓋片（１）の先端縁（８）となす角度θが９０度未満である、前記収納箱。
【請求項２】
角Ｐに相当する位置に突出部（１０）を有する、請求項１記載の収納箱。
【請求項３】
直交座標系であって、掩蓋片（１）の後端縁（７）をＹ軸とし、該後端縁の一方の端を原点（０，０）とし、該原点から該後端縁の他方の端に向かう方向をＹ軸の正の方向とし、該原点から掩蓋片（１）が延出する方向をＸ軸の正の方向とする座標系において、角Ａおよび角Ｐの位置をそれぞれ（Ｘａ，Ｙａ）および（Ｘｐ，Ｙｐ）とするとき、５ｍｍ≦Ｘａ≦４０ｍｍ、０≦Ｙａ＜Ｌ／３、５ｍｍ≦Ｘｐ≦４０ｍｍおよび５ｍｍ≦Ｙｐ≦Ｌ／３である、ここでＬは掩蓋片（１）の後端縁（７）の長さである、請求項１記載の収納箱。
【請求項４】
直交座標系であって、掩蓋片（１）の後端縁（７）をＹ軸とし、該後端縁の一方の端を原点（０，０）とし、該原点から該後端縁の他方の端に向かう方向をＹ軸の正の方向とし、該原点から掩蓋片（１）が延出する方向をＸ軸の正の方向とする座標系において、突出部（１０）の先端Ｐ’の位置を（Ｘｐ’，Ｙｐ’）とするとき、５ｍｍ≦Ｘａ≦４０ｍｍ、０≦Ｙａ＜Ｌ／３、５ｍｍ＜Ｘｐ’≦４０ｍｍおよび５ｍｍ≦Ｙｐ’≦Ｌ／３である、ここでＬは掩蓋片（１）の後端縁（７）の長さである、請求項２記載の収納箱。
【請求項５】
角Ｐにおける掩蓋片（１）の角度αが１０〜１６０度である、請求項１または３記載の収納箱。
【請求項６】
突出部（１０）の先端Ｐ’における角度αが１０〜１６０度である、請求項２または４記載の収納箱。
【請求項７】
切欠き部（９）が上記Ａ、下記点Ｂおよび上記Ｐをこの順に結ぶ形状を有する、ここで、点Ｂの位置を上記座標系において（Ｘｂ，Ｙｂ）で表わすとき、Ｘａ−２０ｍｍ≦Ｘｂ＜ＸａおよびＹａ＜Ｙｂ≦Ｙａ＋３５ｍｍであり、ＡとＢとを結ぶ線ＡＢおよびＢとＰとを結ぶ線ＢＰが各々、直線である、または該直線の長さの１．５倍以下の長さの弓状曲線である、請求項３または５記載の収納箱。
【請求項８】
切欠き部（９）と突出部（１０）の組合せが上記Ａ、下記点Ｂおよび上記Ｐ’をこの順に結ぶ形状を有する、ここで、点Ｂの位置を上記座標系において（Ｘｂ，Ｙｂ）で表わすとき、Ｘａ−２０ｍｍ≦Ｘｂ＜ＸａおよびＹａ＜Ｙｂ≦Ｙａ＋３５ｍｍであり、ＡとＢとを結ぶ線ＡＢおよびＢとＰ’とを結ぶ線ＢＰ’が各々、直線である、または該直線の長さの１．５倍以下の長さの弓状曲線である、請求項４または６記載の収納箱。
【請求項９】
切欠き部（９）が上記Ａ、下記点Ｂ、下記点Ｃおよび上記Ｐをこの順に結ぶ形状を有する、ここで、点Ｂおよび点Ｃの位置を上記座標系においてそれぞれ（Ｘｂ，Ｙｂ）および（Ｘｃ，Ｙｃ）で表わすとき、Ｘａ−２０ｍｍ≦Ｘｂ＜Ｘａ、Ｙａ＜Ｙｂ≦Ｙａ＋２０ｍｍ、Ｘａ−２０ｍｍ≦Ｘｃ＜ＸｐおよびＹｂ＜Ｙｃ≦Ｙｂ＋４０ｍｍであり、ＡとＢとを結ぶ線ＡＢ、ＢとＣとを結ぶ線ＢＣおよびＣとＰとを結ぶ線ＣＰが各々、直線である、または該直線の長さの１．５倍以下の長さの弓状曲線である、請求項３または５記載の収納箱。
【請求項１０】
切欠き部（９）と突出部（１０）の組合せが上記Ａ、下記点Ｂ、下記点Ｃおよび上記Ｐ’をこの順に結ぶ形状を有する、ここで、点Ｂおよび点Ｃの位置を上記座標系においてそれぞれ（Ｘｂ，Ｙｂ）および（Ｘｃ，Ｙｃ）で表わすとき、Ｘａ−２０ｍｍ≦Ｘｂ＜Ｘａ、Ｙａ＜Ｙｂ≦Ｙａ＋２０ｍｍ、Ｘａ−２０ｍｍ≦Ｘｃ＜Ｘｐ’およびＹｂ＜Ｙｃ≦Ｙｂ＋４０ｍｍであり、ＡとＢとを結ぶ線ＡＢ、ＢとＣとを結ぶ線ＢＣおよびＣとＰ’とを結ぶ線ＣＰ’が各々、直線である、または該直線の長さの１．５倍以下の長さの弓状曲線である、請求項４または６記載の収納箱。
【請求項１１】
切欠き部（９）が、上記Ａ、下記点Ｂ、下記点Ｃ１、Ｃ２、・・・、Ｃｎ（ｎは１以上の整数である）、および上記Ｐをこの順に直線で結ぶことにより形成される凸（ｎ＋３）角形状を有する、ここで、点Ｂおよび点Ｃ１、Ｃ２、・・・、Ｃｎの位置を上記座標系においてそれぞれ（Ｘｂ，Ｙｂ）および（Ｘｃ１，Ｙｃ１）、（Ｘｃ２，Ｙｃ２）、・・・、（Ｘｃｎ，Ｙｃｎ）で表わすとき、Ｘａ−２０ｍｍ≦Ｘｂ＜ＸａおよびＹａ≦Ｙｂ≦Ｙａ＋２０ｍｍであり、Ｘｃ１、Ｘｃ２、・・・およびＸｃｎはいずれも（Ｘａ−２０ｍｍ）以上かつＸｐ未満であり、Ｙｃ１、Ｙｃ２、・・・およびＹｃｎはいずれもＹｂ以上かつ（Ｙｂ＋４０ｍｍ）以下であり、各点を結ぶ直線の長さの合計がＡとＰとの直線距離の３倍以内である、請求項３または５記載の収納箱。
【請求項１２】
切欠き部（９）と突出部（１０）の組合せが、上記Ａ、下記点Ｂ、下記点Ｃ１、Ｃ２、・・・、Ｃｎ（ｎは１以上の整数である）、および上記Ｐ’をこの順に直線で結ぶことにより形成される凸（ｎ＋３）角形状を有する、ここで、点Ｂおよび点Ｃ１、Ｃ２、・・・、Ｃｎの位置を上記座標系においてそれぞれ（Ｘｂ，Ｙｂ）および（Ｘｃ１，Ｙｃ１）、（Ｘｃ２，Ｙｃ２）、・・・、（Ｘｃｎ，Ｙｃｎ）で表わすとき、Ｘａ−２０ｍｍ≦Ｘｂ＜ＸａおよびＹａ≦Ｙｂ≦Ｙａ＋２０ｍｍであり、Ｘｃ１、Ｘｃ２、・・・およびＸｃｎはいずれも（Ｘａ−２０ｍｍ）以上かつＸｐ’未満であり、Ｙｃ１、Ｙｃ２、・・・およびＹｃｎはいずれもＹｂ以上かつ（Ｙｂ＋４０ｍｍ）以下であり、各点を結ぶ直線の長さの合計がＡとＰ’との直線距離の３倍以内である、請求項４または６記載の収納箱。
【請求項１３】
切欠き部（９）が、上記Ａと上記Ｐを弓状曲線で結ぶ形状を有し、該弓状曲線の長さがＡとＰとの直線距離の３倍以内である、請求項１、３および５のいずれか１項記載の収納箱。
【請求項１４】
切欠き部（９）と突出部（１０）の組合せが、上記Ａと突出部（１０）の先端Ｐ’を弓状曲線で結ぶ形状を有し、該弓状曲線の長さがＡとＰ’との直線距離の３倍以内である、請求項２、４および６のいずれか１項記載の収納箱。
【請求項１５】
掩蓋片（１）の長手方向の、切欠き部（９）よりも中央側において、補強部材（１１）が先端縁（８）から延出しており、該補強部材（１１）が該先端縁（８）に沿って掩蓋片（１）の裏側に折り返されている、請求項１、３、５、７、９、１１および１３のいずれか１項記載の収納箱。
【発明の詳細な説明】
【技術分野】
【０００１】
本発明は、一般家庭、食料品販売業、飲食物提供役務等において、主として食品の包装用に汎用されているラップフィルム等のフィルムを巻回したものを収納する箱に関する。更に詳しくは、金属製、プラスチック製または紙製等の鋸歯等の切断部材の無い収納箱に関する。
【背景技術】
【０００２】
従来から、ラップフィルムは、直方体等の箱に納められた巻回フィルムとして提供されており、ここから必要分量を引出し、何らかの方法で長さ方向に対して横に切断し、使用に供される。横に切断する方法としては、箱の掩蓋片等に配備された長尺の鋸歯によるものが最も一般的である。
【０００３】
しかし、鋸歯は、手を怪我する等の安全性の点で問題があり、この問題を解決するために、鋸歯に替えて、異形の金属粉を接着したシートを切断具に用いたり（特許文献１）、巻回フィルムがその長さ方向に連続した加工傷を有し、その加工傷域と接触する箱の局部に金属片やバルカナイズド紙片等の切断補助具を設けたり（特許文献２）することが提案されている。しかし、上述した安全性の問題は依然として残っている。
【０００４】
また、巻回フィルムの横方向の端部に一定間隔で切れ目を設けることにより、鋸歯等の切断具がない箱でも切れ目に沿ってフィルムを切断できる方法が提案されている（特許文献３）。しかし、従来の箱から単に鋸歯を無くしただけの箱では、フィルムのカット性が不十分である。
【先行技術文献】
【特許文献】
【０００５】
【特許文献１】特開昭６１−２１７３４５号公報
【特許文献２】特開平１１−１２４１３３号公報
【特許文献３】特開２００１−３２２６３６号公報
【発明の概要】
【発明が解決しようとする課題】
【０００６】
本発明の目的は、巻回したフィルムを収納した箱に鋸歯等の切断部材が無くても、実用上満足のできるカット性を発現し、かつその効果を、収納したフィルムを使い切るまで維持することができる巻回フィルム収納箱を提供することである。
【課題を解決するための手段】
【０００７】
本発明者らは、鋭意研究した結果、収納箱において、掩蓋片の先端縁の端部に切欠き部を有し、したがって、角部を有することにより、箱に鋸歯等の切断部材が無くてもフィルムを良好に切断することができ、上記切欠き部が特定の傾斜を有すると、さらに良好にフィルムを切断することができ、上記目的を達成することができることを見出した。
【０００８】
すなわち、本発明は、巻回されたフィルムを収納する箱であって、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）を有する収納箱において、掩蓋片（１）の先端縁（８）の両端部の少なくとも一方が切欠き部（９）を有し、切欠き部（９）によって形成される２つの角のうち、掩蓋片（１）の先端縁（８）の端に近い方をＡとし、他方をＰとしたとき、切欠き部（９）のＡ側の辺が掩蓋片（１）の先端縁（８）となす角度θが９０度未満である、前記収納箱である。また、本発明の収納箱は、角Ｐに相当する位置に突出部（１０）を有していてもよい。
【発明の効果】
【０００９】
本発明の収納箱は、鋸歯等の切断部材を何ら有していなくてもフィルムを良好に切断することができ、したがって、手を怪我する等の安全性の問題も回避することできる。
【図面の簡単な説明】
【００１０】
【図１】本発明の収納箱の一例を示す斜視図である。
【図２】本発明の収納箱の別の例を示す斜視図である。
【図３】図１の収納箱の掩蓋片（１）の一方の端部を示す拡大正面図である。
【図４】図２の収納箱の掩蓋片（１）の一方の端部を示す拡大正面図である。
【図５】掩蓋片（１）の一方の端部を示す図である。
【図６】本発明の収納箱の別の例を示す斜視図である。
【図７】本発明に従う収納箱の掩蓋片（１）の一方の端部を示す図である。
【図８】本発明に従う収納箱の掩蓋片（１）の一方の端部を示す図である。
【図９】本発明に従う収納箱の掩蓋片（１）の一方の端部を示す図である。
【図１０】本発明に従う収納箱の掩蓋片（１）の一方の端部を示す図である。
【図１１】本発明に従わない収納箱の掩蓋片（１）の一方の端部を示す図である。
【図１２】本発明の収納箱の別の例を示す斜視図である。
【図１３】本発明に従う収納箱の掩蓋片（１）の一方の端部を示す図である。
【図１４】補強部材（１１）を有する本発明の収納箱であって、補強部材（１１）を折り返さないで蓋を開けた状態を示す斜視図である。
【図１５】図１４の収納箱において、補強部材（１１）を掩蓋片（１）の先端縁（８）に沿って掩蓋片（１）の裏側に折り返し、蓋を閉じた状態の斜視図である。
【図１６】補強板を有する本発明の収納箱の掩蓋片（１）を示す正面図である。
【図１７】切断ずれ量（δ）の測定を説明する図である。
【発明を実施するための形態】
【００１１】
本発明の収納箱を、図を参照して説明する。図１は、本発明の収納箱の一例を示す斜視図であり、図３は、図１の収納箱の掩蓋片（１）の一方の端部の拡大正面図である。本発明の収納箱は、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁（７）から前面板（５）を覆う方向に延出した掩蓋片（１）とを有する。図１および３に示されるように、本発明の収納箱は、掩蓋片（１）の長手方向の両端部の少なくとも一方が切欠き部（９）を有し、したがって、２つの角が形成される。ここで、掩蓋片（１）の先端縁（８）の端に近い方を角Ａとし、他方を角Ｐとする。本発明の収納箱は、収納箱から引き出されたフィルムを角Ｐに当てることによりフィルムに切断のきっかけを与えることができ、その結果、金属製鋸歯等の切断部材がなくても、フィルムを掩蓋片（１）の先端縁に沿って良好に切断することができる。
【００１２】
本発明の収納箱はさらに、切欠き部のＡ側の辺が掩蓋片（１）の先端縁（８）となす角度θが９０度未満である（図３参照）。角度θが９０度未満であることは、切欠き部（９）が、Ａの側から切欠き部（９）の頂点に向かって掩蓋片（１）の後端縁（７）の方へ傾斜する部分を有することを意味する。切欠き部にこのような傾斜部分があると、収納箱から引き出したフィルムをこの傾斜に沿ってスムーズに角Ｐに運ぶことができ、その結果、フィルムをより容易に切断することができる。角度θは、より好ましくは９０度＞θ≧１０度の範囲であり、さらに好ましくは６０度≧θ≧２０度、特に好ましくは４５度≧θ≧２０度の範囲である。
【００１３】
図３における切欠き部（９）は、角Ａにおいて、切欠き部のＡ側の辺と掩蓋片（１）の先端縁（８）とのなす角度θが９０度未満であるが、図５に示されるように、角Ａから角Ｐへ向かう方向とは反対の方向に延びる、掩蓋片（１）の先端縁（８）上またはその延長線上の点において、切欠き部のＡ側の辺と掩蓋片（１）の先端縁（８）とのなす角度θが９０度未満であるような切欠き部であってもよい。
【００１４】
図２は、本発明の収納箱の別の実施態様を示す斜視図であり、図４は、図２の収納箱の掩蓋片（１）の一方の端部の拡大正面図である。図２および４に示されるように、本発明の収納箱は、角Ｐに相当する位置に突出部（１０）を有していてもよい。突出部（１０）を有する収納箱では、収納箱から引き出されたフィルムを切欠き部（９）を通って突出部（１０）の先端Ｐ’に運び、そこでフィルムに切断のきっかけを与えることができる。
【００１５】
切欠き部（９）は、掩蓋片（１）の長手方向の端部に存在するが、好ましくは、以下に述べる位置に存在する。掩蓋片（１）の後端縁（７）をＹ軸とし、該後端縁の一方の端を原点（０，０）とする直交座標であって、該原点から該後端縁の他方の端に向かう方向をＹ軸の正の方向とし、該原点から掩蓋片（１）が延出する方向をＸ軸の正の方向とする座標系において、角Ａの位置を（Ｘａ，Ｙａ）とし、掩蓋片（１）の後端縁（７）の長さをＬとするとき、５ｍｍ＜Ｘａ≦４０ｍｍ、より好ましくは２０ｍｍ≦Ｘａ≦３５ｍｍであり、かつ０≦Ｙａ＜Ｌ／３（ただし、Ｌ／３＜３０ｍｍの場合には０≦Ｙａ＜３０ｍｍ）、より好ましくは５ｍｍ≦Ｙａ＜Ｌ／４（ただし、Ｌ／４＜３０ｍｍの場合には５ｍｍ≦Ｙａ＜３０ｍｍ）、さらに好ましくは５ｍｍ≦Ｙａ＜Ｌ／５（ただし、Ｌ／５＜３０ｍｍの場合には５ｍｍ≦Ｙａ＜３０ｍｍ）である。また、角Ｐの位置を（Ｘｐ，Ｙｐ）とするとき、５ｍｍ≦Ｘｐ≦４０ｍｍ、より好ましくは２０ｍｍ≦Ｘｐ≦３５ｍｍであり、かつ５ｍｍ≦Ｙｐ≦Ｌ／３（ただし、Ｌ／３＜３０ｍｍの場合には５ｍｍ≦Ｙｐ≦３０ｍｍ）、より好ましくは５ｍｍ≦Ｙｐ≦Ｌ／４（ただし、Ｌ／４＜３０ｍｍの場合には５ｍｍ≦Ｙｐ≦３０ｍｍ）、さらに好ましくは５ｍｍ≦Ｙｐ≦Ｌ／５（ただし、Ｌ／５＜３０ｍｍの場合には５ｍｍ≦Ｙｐ≦３０ｍｍ）である。
【００１６】
切欠き部（９）とともに突出部（１０）を有する場合には、上記座標系において、突出部（１０）の先端Ｐ’の位置を（Ｘｐ’，Ｙｐ’）とするとき、５ｍｍ＜Ｘｐ’≦４０ｍｍ、より好ましくは２０ｍｍ≦Ｘｐ’≦３５ｍｍであり、かつ５ｍｍ≦Ｙｐ’≦Ｌ／３（ただし、Ｌ／３＜３０ｍｍの場合には５ｍｍ≦Ｙｐ’≦３０ｍｍ）、より好ましくは５ｍｍ≦Ｙｐ’≦Ｌ／４（ただし、Ｌ／４＜３０ｍｍの場合には５ｍｍ≦Ｙｐ’≦３０ｍｍ）、さらに好ましくは５ｍｍ≦Ｙｐ’≦Ｌ／５（ただし、Ｌ／５＜３０ｍｍの場合には５ｍｍ≦Ｙｐ’≦３０ｍｍ）である。
【００１７】
Ｘａ、ＸｐおよびＸｐ’が上記下限未満であると掩蓋片（１）の強度に劣り、上記上限を超えると、フィルムを収納箱から引き出すのが困難になり、または引き出されたフィルムに切断のきっかけを与えるところの角Ｐおよび突出部（１０）の先端Ｐ’の強度に劣る場合がある。掩蓋片（１）の強度や角Ｐおよび先端Ｐ’の強度に劣ることは、収納したフィルムを使い切るまでカット性を維持することができない、すなわち耐久性に劣ることを意味する。Ｙａ、ＹｐおよびＹｐ’が上記範囲外であると、フィルムが角Ｐや先端Ｐ’に引っかかりにくくなり、したがってカット性に劣り、または耐久性に劣る場合がある。
【００１８】
また、好ましくは、ＡとＰとの直線距離およびＡとＰ’との直線距離が各々２〜３５ｍｍであり、より好ましくは２〜２０ｍｍ、さらに好ましくは２〜１５ｍｍである。上記直線距離が上記範囲外であると、フィルムが角Ｐまたは先端Ｐ’に引っかかりにくくなり、したがってカット性に劣る場合がある。
【００１９】
突出部（１０）は、掩蓋片（１）の先端縁（８）からの高さが３５ｍｍ以下であるのが好ましく、より好ましくは１５ｍｍ以下、さらに好ましくは７ｍｍ以下である。
【００２０】
切欠き部（９）は、掩蓋片（１）の長手方向の一方の端部につき、１または２個以上存在し得る。図１および２は、掩蓋片（１）の長手方向の一方の端部につき、切欠き部（９）が１個存在する場合であり、図６は３個の場合である。図６は、本発明の収納箱の別の実施態様を示す斜視図である。切欠き部（９）が２個以上の場合には、収納箱から引き出されたフィルムを角Ｐに当てるとき、掩蓋片（１）の長手方向の端に最も近い角Ｐに当たり損なっても、その隣の角Ｐに当たり得る点で好ましい。しかし、角Ｐが多すぎると、フィルムに切断のきっかけが与えられた後も、フィルムが他の角Ｐに当たり得るので、切断時に引っかかり感があり、切断のスムーズ性に欠けるという点で好ましくない。これらを考慮すると、切欠き部（９）の数は、掩蓋片（１）の長手方向の一方の端部につき１〜３個であるのが好ましく、最も好ましくは２個である。切欠き部（９）が２個以上存在するとき、角ＡおよびＰの位置はいずれも上記座標の範囲内であるのが好ましい。掩蓋片（１）の長手方向の端に最も近い切欠き部（９）については、０≦Ｙａ＜３０ｍｍおよび５ｍｍ≦Ｙｐ≦３０ｍｍであるのが好ましい。角Ｐに相当する位置に突出部（１０）を有する場合には、角Ｐについて上述したことが突出部（１０）の先端Ｐ’に当てはまり、掩蓋片（１）の長手方向の端に最も近い切欠き部（９）における突出部（１０）の先端Ｐ’については、５ｍｍ≦Ｙｐ’≦３０ｍｍであるのが好ましい。
【００２１】
角Ｐにおける掩蓋片（１）の角度αおよび突出部（１０）の先端Ｐ’における角度αは、好ましくは１０〜１６０度であり、より好ましくは２０〜１２０度であり、さらに好ましくは３０〜１２０度である。角度αが１０度未満であると耐久性に劣る場合がある。また、１６０度を超えるとフィルムが角Ｐや先端Ｐ’に引っかかりにくくなり、したがってカット性に劣る。
【００２２】
切欠き部（９）の高さｈは２０ｍｍ以下が好ましく、より好ましくは１５ｍｍ以下である。また、高さｈは、１ｍｍ以上であるのが好ましい。切欠き部（９）の幅ｗは３５ｍｍ以下が好ましく、より好ましくは２０ｍｍ以下である。また、幅ｗは２ｍｍ以上であるのが好ましい。切欠き部（９）のｈおよびｗが上記上限を超えると、耐久性に劣る場合がある。
【００２３】
切欠き部（９）は、角度θが９０度未満であり、したがって上記特定の傾斜を有する限り、任意の形状を有し得る。例えば、下記（イ）〜（ニ）の形状の形状を有し得る。
【００２４】
（イ）切欠き部（９）が上記Ａ、下記点Ｂおよび上記Ｐをこの順に結ぶ形状を有する。ここで、点Ｂの位置を上記座標系において（Ｘｂ，Ｙｂ）で表わすとき、Ｘａ−２０ｍｍ≦Ｘｂ＜ＸａおよびＹａ＜Ｙｂ≦Ｙａ＋３５ｍｍであり、ＡとＢとを結ぶ線ＡＢおよびＢとＰとを結ぶ線ＢＰが各々、直線である、または該直線の長さの１．５倍以下の長さの弓状曲線である。また、突出部（１０）を有する場合には、切欠き部（９）と突出部（１０）の組合せが、上記Ａ、上記Ｂおよび上記Ｐ’をこの順に結ぶ形状を有し、ＡとＢとを結ぶ線ＡＢおよびＢとＰ’とを結ぶ線ＢＰ’が各々、直線である、または該直線の長さの１．５倍以下の長さの弓状曲線である。このような形状の例を図７に示す。点Ｂの位置および線ＡＢ、ＢＰおよびＢＰ’が上記要件を満たさない場合には、耐久性やカット性に劣る場合がある。
【００２５】
（ロ）切欠き部（９）が上記Ａ、下記点Ｂ、下記点Ｃおよび上記Ｐをこの順に結ぶ形状を有する。ここで、点Ｂおよび点Ｃの位置を上記座標系においてそれぞれ（Ｘｂ，Ｙｂ）および（Ｘｃ，Ｙｃ）で表わすとき、Ｘａ−２０ｍｍ≦Ｘｂ＜Ｘａ、Ｙａ＜Ｙｂ≦Ｙａ＋２０ｍｍ、Ｘａ−２０ｍｍ≦Ｘｃ＜ＸｐおよびＹｂ＜Ｙｃ≦Ｙｂ＋４０ｍｍであり、ＡとＢとを結ぶ線ＡＢ、ＢとＣとを結ぶ線ＢＣおよびＣとＰとを結ぶ線ＣＰが各々、直線である、または該直線の長さの１．５倍以下の長さの弓状曲線である。また、突出部（１０）を有する場合には、切欠き部（９）と突出部（１０）の組合せが、上記Ａ、上記Ｂ、下記点Ｃおよび上記Ｐ’をこの順に結ぶ形状を有する。ここで、点Ｃの位置を上記座標系において（Ｘｃ，Ｙｃ）で表わすとき、Ｘａ−２０ｍｍ≦Ｘｃ＜Ｘｐ’およびＹｂ＜Ｙｃ≦Ｙｂ＋４０ｍｍであり、ＡとＢとを結ぶ線ＡＢ、ＢとＣとを結ぶ線ＢＣおよびＣとＰ’とを結ぶ線ＣＰ’が各々、直線である、または該直線の長さの１．５倍以下の長さの弓状曲線である。このような形状の例を図８に示す。点ＢおよびＣの位置および線ＡＢ、ＢＣ、ＣＰおよびＣＰ’が上記要件を満たさない場合には、耐久性やカット性に劣る場合がある。
【００２６】
（ハ）切欠き部（９）が、上記Ａ、下記点Ｂ、下記点Ｃ１、Ｃ２、・・・、Ｃｎ（ｎは１以上の整数）、および上記Ｐをこの順に直線で結ぶことにより形成される凸（ｎ＋３）角形状を有する。ここで、点Ｂおよび点Ｃ１、Ｃ２、・・・、Ｃｎの位置を上記座標系においてそれぞれ（Ｘｂ，Ｙｂ）および（Ｘｃ１，Ｙｃ１）、（Ｘｃ２，Ｙｃ２）、・・・、（Ｘｃｎ，Ｙｃｎ）で表わすとき、Ｘａ−２０ｍｍ≦Ｘｂ＜ＸａおよびＹａ≦Ｙｂ≦Ｙａ＋２０ｍｍであり、Ｘｃ１、Ｘｃ２、・・・およびＸｃｎはいずれも（Ｘａ−２０ｍｍ）以上かつＸｐ未満であり、Ｙｃ１、Ｙｃ２、・・・およびＹｃｎはいずれもＹｂ以上かつ（Ｙｂ＋４０ｍｍ）以下であり、各点を結ぶ直線の長さの合計が点Ａと点Ｄとの直線距離の３倍以内である。また、突出部（１０）を有する場合には、切欠き部（９）と突出部（１０）の組合せが、上記Ａ、上記Ｂ、下記点Ｃ１、Ｃ２、・・・、Ｃｎ（ｎは１以上の整数である）、および上記Ｐ’をこの順に直線で結ぶことにより形成される凸（ｎ＋３）角形状を有する。ここで、点Ｃ１、Ｃ２、・・・、Ｃｎの位置を上記座標系においてそれぞれ（Ｘｃ１，Ｙｃ１）、（Ｘｃ２，Ｙｃ２）、・・・、（Ｘｃｎ，Ｙｃｎ）で表わすとき、Ｘｃ１、Ｘｃ２、・・・およびＸｃｎはいずれも（Ｘａ−２０ｍｍ）以上かつＸｐ’未満であり、Ｙｃ１、Ｙｃ２、・・・およびＹｃｎはいずれもＹｂ以上かつ（Ｙｂ＋４０ｍｍ）以下であり、各点を結ぶ直線の長さの合計がＡとＰ’との直線距離の３倍以内である。このような形状の例を図９（ａ）、（ｄ）および（ｅ）に示す。凸多角形状であると、図９（ｂ）および（ｃ）に示すような凹多角形状よりも、フィルムをよりスムーズに角Ｐまたは先端Ｐ’に運ぶことができるので好ましい。点ＢおよびＣ１、Ｃ２、Ｃ３、・・・、Ｃｎの位置および各点を結ぶ線が上記要件を満たさない場合には、耐久性やカット性に劣る場合がある。
【００２７】
（ニ）切欠き部（９）が、上記Ａと上記Ｐを弓状曲線で結ぶ形状を有する。ここで、上記弓状曲線の長さは、耐久性の点から、ＡとＰとの直線距離の３倍以内である。また、突出部（１０）を有する場合には、切欠き部（９）と突出部（１０）の組合せが、上記Ａと上記Ｐ’を弓状曲線で結ぶ形状を有する。ここで、上記弓状曲線の長さは、耐久性の点から、ＡとＰ’との直線距離の３倍以内である。このような形状の例を図１０に示す。
【００２８】
図１１に、比較のための切欠き部の形状および切欠き部と突出部の組合せの形状の例を示す。図１１に示す形状は、角度θが９０以上であり、したがって本発明に含まれない。
【００２９】
切欠き部（９）は、掩蓋片（１）の先端縁（８）の少なくとも一方の端部に存在し得るが、上記先端縁の左右どちらの端部でも切断開始が行われ得るように、両方の端部に存在するのが好ましい。両方の端部に存在する場合には、両方の端部が互いに対称形であってもなくてもよい。
【００３０】
また、掩蓋片（１）の先端縁（８）の一方の端部に２個以上の切欠き部（９）が存在する場合には、それらの形状および大きさは互いに同じでも異なっていてもよい。
【００３１】
図１２は、掩蓋片（１）の先端縁（８）が切欠き部を有さず、先端縁（８）の少なくとも一方の端部が、突出部（１０）を有する収納箱を示す斜視図であり、図１３は、このような収納箱の掩蓋片（１）の一方の端部の例を示す図である。このような収納箱も、収納箱から引き出されたフィルムを突出部（１０）の先端Ｐ’に当てることによりフィルムに切断のきっかけを与えることができ、その結果、金属製鋸歯等の切断部材がなくても、フィルムを掩蓋片（１）の先端縁に沿って良好に切断することができる。
【００３２】
このような収納箱において、突出部（１０）は、掩蓋片（１）の先端縁（８）の少なくとも一方の端部に存在し得るが、上記先端縁の左右どちらの端部でも切断開始が行われ得るように、両方の端部に存在するのが好ましい。両方の端部に存在する場合には、両方の端部が互いに対称形であってもなくてもよい。
【００３３】
また、突出部（１０）は、掩蓋片（１）の先端縁（８）の一方の端部に１個または２個以上存在し得る。図１３（ａ）は１個存在する場合を示し、図１３（ｃ）は２個の場合を示し、図１３（ｄ）は３個の場合を示す。一方の端部に２個以上の突出部（１０）が存在する場合には、それらの形状および大きさは互いに同じでも異なっていてもよい。なお、掩蓋片（１）の先端縁（８）は、図１３（ｂ）に示されるように、掩蓋片（１）の後端縁（７）と平行でなくてもよい。
【００３４】
図１３（ａ）に示されるように、突出部（１０）の外郭線が掩蓋片（１）の先端縁（８）に接する２つの点のうち、掩蓋片（１）の長手方向の端に近い点を点Ｅとし、上記座標系において、点Ｅおよび突出部（１０）の先端Ｐ’の位置をそれぞれ（Ｘｅ，Ｙｅ）および（Ｘｐ’、Ｙｐ’）とするとき、Ｘｅ＜４０ｍｍ、Ｙｅ≦Ｌ／３、５ｍｍ≦Ｘｐ’≦４０ｍｍおよび５ｍｍ≦Ｙｐ’≦Ｌ／３であるのが好ましい。ここで、Ｌは掩蓋片（１）の後端縁（７）の長さである。より好ましくは、Ｘｅ≦３０ｍｍ、Ｙｅ≦４０ｍｍ、１０ｍｍ＜Ｘｐ’≦３５および５ｍｍ≦Ｙｐ’≦３５ｍｍであり、さらに好ましくはＸｅ≦３０ｍｍ、Ｙｅ≦３０ｍｍ、１０ｍｍ＜Ｘｐ’≦３５および５ｍｍ≦Ｙｐ’≦２５ｍｍである。ＸｅおよびＹｅが上記上限を超えると、フィルムが突出部（１０）の先端Ｐ’に引っかかりにくくなり、したがってカット性に劣る場合がある。また、Ｘｅ＜Ｘｐ’≦Ｘｅ＋２０ｍｍであるのが好ましく、より好ましくはＸｅ＜Ｘｐ’≦Ｘｅ＋１０ｍｍである。Ｘｐ’が上記上限を超えると、耐久性に劣る場合がある。掩蓋片（１）の先端縁（８）の一方の端部に突出部（１０）が２個以上存在する場合、点Ｅおよび先端Ｐ’の位置はいずれも上記座標の範囲内であるのが好ましい。
【００３５】
図１３に示されるような収納箱において、突出部（１０）の先端Ｐ’における角度αは、好ましくは１０〜１６０度であり、より好ましくは３０〜１２０度である。角度αが１０度未満であると耐久性に劣り、１６０度を超えるとフィルムが先端Ｐ’に引っかかりにくくなり、したがってカット性に劣る。
【００３６】
本発明の収納箱は、ラップフィルムの収納のために通常用いられる紙、例えば坪量２００〜６００ｇ／ｍ２  のコートボール紙等を使用して作ることができる。紙の坪量は、小さいと耐久性に問題が生じ易くなり、大きいとコスト高になる。従って、紙の坪量は、収納するフィルムロールの尺長から必要となる耐久性を勘案して適宜選択される。
【００３７】
本発明の収納箱は、耐久性を向上させる為に、掩蓋片（１）に、好ましくは美感の点からその裏面に、補強板（１２）を貼合して掩蓋片（１）を補強してもよい。補強板（１２）としては、収納箱を構成するものと同じまたは異なる紙を使用することができる。あるいは、膠化繊維（バルカナイズドファイバー）またはそれにウレタン樹脂、フェノール樹脂、メラミン樹脂、エポキシ樹脂、ポリスチレン樹脂、ユリア樹脂、ポリフェニレンスルフィド樹脂などの剛性樹脂を含浸させたものを補強板として使用してもよい。
【００３８】
なお、補強板（１２）は、図１６に示されるように、掩蓋片（１）の長手方向の、角Ｐよりも中央側において突出するように取り付けられていてもよい。収納箱から引き出されたフィルムは、角Ｐによって切断のきっかけが与えられると、その後は掩蓋片（１）の先端縁（８）に沿って切断されるが、図１６に示されるように、この先端縁よりもわずかに補強板が突出していると、フィルムは、この突出部分（１２’）の先端縁に沿って切断され得る。補強板（１２）が、収納箱の他の部分を構成する紙より硬質な材料で構成されているときには、フィルムを突出部分（１２’）の先端縁に沿ってより良好に滑らせることができ、したがって、より容易にフィルムを切断することができる。補強板（１２）が掩蓋片（１）の先端縁から突出する距離は高々５ｍｍが好ましく、より好ましくは高々３ｍｍである。
【００３９】
補強板（１２）の突出部分（１２’）は、その先端縁に沿ってフィルムがスムーズに運ばれるならばどのような形状であってもよく、例えば円弧状の先端縁を有するもの（図１６参照）や台形状が挙げられる。
【００４０】
また、本発明の収納箱は、掩蓋片（１）の裏面に補強板（１２）を貼合する代わりに、掩蓋片（１）の長手方向の、切欠き部（９）よりも中央側において、補強部材（１１）が先端縁（８）から延出しており、該補強部材（１１）を該先端縁（８）に沿って掩蓋片（１）の裏側に折り返されていてもよい。図１４は、補強部材（１１）を掩蓋片（１）の裏側に折り返す前で、かつ蓋を開けた状態を示す斜視図であり、図１５は、図１４の収納箱において補強部材（１１）を掩蓋片（１）の先端縁（８）に沿って掩蓋片（１）の裏側に折り返し、かつ蓋を閉じたときの斜視図である。補強部材（１１）が掩蓋片（１）の裏側へ折り返されて二重になるので、掩蓋片（１）および角Ｐが補強され、したがって、耐久性が改善され、箱に収納されたフィルムを使い切るまでカット性を維持できるという利点を有する。
【００４１】
また、フィルムを切断するとき、掩蓋片（１）と前面板（５）の間にフィルムを挟んで切断するとカット性がさらに向上する。前面板（５）の表面および／または掩蓋片（１）の裏面にすべり止め効果のある部材を設けておくと、フィルムの挟み効果を高めることができ、したがって、カット性をさらに向上させることができる。すべり止め効果のある部材は特に限定されないが、ゴム状の樹脂、ポストイット（登録商標）様の微粘着剤、やすり状の表面を有しかつ曲げ弾性率が１０〜５００ＭＰａであるプラスチック片などがあげられる。
【００４２】
上記滑り止め効果のある部材は、前面板（５）の上端縁および／または掩蓋片（１）の先端縁から１ｍｍ以上離れた位置から、高さ２ｍｍ以上および面積１０ｍｍ２以上の範囲にわたって設けることができる。好ましくは高さ２５ｍｍ以下および面積３０００ｍｍ２以下であり、より好ましくは高さ２０ｍｍ以下および面積２０００ｍｍ２以下であり、更に好ましくは高さ１０ｍｍ以下および面積２０００ｍｍ２以下である。上記滑り止め効果のある部材は、上記範囲全体に設けてもよく、部分的に設けてもよい。
【００４３】
本発明の収納箱は巻回したフィルム用であり、フィルムとして、プラスチック製フィルム、アルミホイル、紙製フィルム(キッチンペーパー、クッキングシートなど)等が使用され得る。プラスチック製フィルムとしては、例えばポリ塩化ビニリデン、ポリ塩化ビニル、ポリエチレン、ポリメチルペンテン−１およびポリアミド等から選ばれる樹脂からなる単層又は多層のフィルムで全厚みが３〜３０μｍ、典型的には５〜１５μｍ程度のもの、が好適である。また、プラスチック製フィルムの長さ方向および横方向の引張破断力がいずれも１〜１５Ｎ、より好ましくは１〜１０Ｎであるのが好ましい。上記引張破断力は、ＪＩＳ  Ｋ−７１２７に従い、フィルムの引き出し方向が長辺となるようにフィルムを１０ｍｍ×１５０ｍｍの大きさに切り取って試験片とし、試験速度５００ｍｍ／分で測定される値である。
【００４４】
本発明の収納箱に特に適するフィルムは、引き出したフィルムを切断するときに掩蓋片（１）の角Ｐまたは先端Ｐ’と接触する部分の破断力および伸びが小さく、かつ下記に述べる切断ずれ量が小さいプラスチック製フィルムである。上記接触する部分は、典型的には、フィルムの横方向の端からＫ／３（Ｋはフィルムの横方向の長さである）までの範囲にある。本発明の収納箱に適するラップフィルムは、フィルムの上記範囲、すなわちフィルムの横方向の端からＫ／３までの範囲から、フィルムの引き出し方向が長辺となるように１０ｍｍ×５０ｍｍの大きさに切り取って試験片としたとき、ＪＩＳ  Ｋ７１２７に基づく引張り試験における伸びが７０％以下、好ましくは６０％以下、より好ましくは５０％以下であり、かつ破断力が１〜８Ｎ、より好ましくは１〜７Ｎ、さらに好ましくは１〜５Ｎである（引張速度５０ｍｍ／分）。上記伸びおよび破断力を有するように、例えば、フィルムの上記範囲において、ローレット加工やレーザー加工等の加工を施してもよい。
【００４５】
ローレット加工は、フィルムを金属製等の彫刻ロールと金属製や高硬度のゴム等の彫刻ロール又は平滑ロールとで挟み込むことにより、あるいはフィルムの巻に該彫刻ロールを押し当てることにより微細なエンボスや傷を入れる加工である。加工条件はフィルムの材質により適宜選択されるべきであるが、通常、押圧は１０〜５０Ｎ／ｍ程度である。ローレット加工は、原反製膜時に、スリット加工時に、またはスリット加工後に独立の工程を設けて施すことができる。ローレット加工は、フィルムの横方向の端部の少なくとも一方に施されるが、どちらの側からでも切断出来るように、両方の端部に施すことがより好ましい。加工幅は通常０．１〜１０ｍｍであり、好ましくは０．３〜６ｍｍである。
【００４６】
レーザー加工はレーザーの照射熱により、フィルムを極めて微細な領域において溶融し、そこに凹形状や孔を設ける加工である。使用するレーザーは、特に制限されない。例えば、炭酸ガスレーザー、ヘリウムネオンレーザー、アルゴンイオンレーザーおよびエキシマレーザーなどのガスレーザーや、クロム添加ルビー結晶を媒質に使用したルビーレーザー、チタン添加サファイア結晶を媒質に使用したチタンサファイアレーザー、ＹＡＧ結晶中のイットリウムを他の希土類元素で置換した種々のＹＡＧレーザーおよびネオジム添加ＹＡＧを用いたＮｄ：ＹＡＧレーザーなどの固体レーザーが挙げられる。また、液体レーザー、半導体レーザー、自由電子レーザー、金属蒸気レーザー、化学レーザー等の公知のレーザーを使用することができる。照射出力は、０．５〜２０Ｗ程度であり、フィルムの肉厚や加工速度を勘案して適宜調節する。レーザー加工は、原反製膜時に、スリット加工時に、またはスリット加工後に独立の工程を設けて施すことができる。レーザー加工は、フィルムの横方向の端部の少なくとも一方に施されるが、どちらの側からでも切断出来るように、両方の端部に施すことがより好ましい。加工幅は通常０．１〜１０ｍｍであり、好ましくは０．３〜６ｍｍである。
【００４７】
また、ローレット加工やレーザー加工を施すと、巻回フィルムの引出端が巻き本体に強く密着して引き出せなくなるというトラブルの防止効果を得ることもできる。
【００４８】
上記切断ずれ量（δ）は、フィルムの横切性の尺度であり、図１７に示されるフィルム切断試験により決定される。すなわち、辺α（長さ３００ｍｍ）および辺β（長さ２２０ｍｍ）を有する長方形の試験片を用意し（ここで、辺αはフィルムの長さ方向と平行である）、一方の辺αの中央部に長さ３ｍｍの切込みを入れ、切込みを入れた辺α側の両隅を人の手で引張ってフィルムを切断する。切断したときのフィルムの切断線と、切込みから他方の辺αに垂直に降ろした基準線との乖離の最大値（単位：ｍｍ）が切断ずれ量（δ）である。
【００４９】
切断ずれ量（δ）は、好ましくは２０ｍｍ以下であり、より好ましくは１０ｍｍ以下、最も好ましくは５ｍｍ以下である。
【実施例】
【００５０】
以下、実施例に基づいて本発明を具体的に説明するが、本発明は以下の実施例に限定されるものではない。使用した材料および測定方法は以下の通りである。
【００５１】
実施例１
掩蓋片（１）の端部が、図７（ａ）の形状を有し、Ａ、ＢおよびＰの座標、角度θおよび角度αが表１に示される通りである、縦４５ｍｍｘ横４５ｍｍｘ長さ３１０ｍｍの収納箱を、片面コートされたコートボール紙（厚紙の坪量４５０ｇ／ｍ２）を使用して作製した。掩蓋片（１）の両方の端部は、互いに対称形である。
【００５２】
試験
上記のようにして得た収納箱に、巻回されたラップフィルム（幅３００ｍｍ、長さ２０ｍのフィルムを、幅３０５ｍｍ、内径２７ｍｍ、肉厚１．５ｍｍの紙管に巻いたもの）を収納し、下記試験（１）および（２）を行った。結果を表１に示す。なお、収納したラップフィルムは、主原料がポリ４−メチルペンテン−１（三井化学株式会社製）のラップフィルムである。このフィルムは、下記に示すフィルム端部の引張試験（３）および切断ずれ量（δ）の測定（４）を行ったところ、破断時の伸びが５９％であり、破断力が４．４Ｎであり、切断ずれ量が３．８ｍｍであった。
【００５３】
（１）カット性試験
収納されたラップフィルムを収納箱から約４０ｃｍ引出し、蓋を閉じた状態で、掩蓋片の角Ｐを利用してフィルムを切断する試験を１０回試みた。切断できた回数を表１に示す。
【００５４】
（２）耐久性
試験（１）と同様の切断を１００回試みた後、さらに１０回の切断を試みた。この１０回の試行において切断できた回数を表１に示す。
【００５５】
（３）フィルム端部の引張試験
フィルムの横方向の端から、フィルムの引き出し方向が長辺となるように１０ｍｍ×５０ｍｍの大きさに切り取って試験片とし、ＪＩＳ  Ｋ７１２７に準じて、２３℃、引張速度５０ｍｍ／分の条件で、試験片の長辺方向での引張り試験を行って、破断時の伸びおよび破断力を測定した。
【００５６】
（４）切断ずれ量（δ）
辺α（長さ３００ｍｍ）および辺β（長さ２２０ｍｍ）を有しかつ辺αがフィルムの長さ方向（ＭＤ方向）と平行である長方形のフィルムを試験片とし、一方の辺αの中央部に長さ３ｍｍの切込みを入れ、切込みを入れた辺α側の両隅を人の手で引張ってフィルムを切断した（図１７）。切込みから他方の辺αに垂直に降ろした基準線と切断線との乖離を測定し、その最大値（単位：ｍｍ）を切断ずれ量（δ）として求めた。上記試験を３人が各３回行い、合計９回の平均値を切断ずれ量とした。なお、ローレット加工が施されたフィルムについては、ローレット加工された端部が、切込みを入れるところの上記一方の辺αとなるように試験片を作製した。
【００５７】
実施例２〜１７および比較例１〜４
掩蓋片（１）の端部の形状、各点の座標、角度θおよび角度αが表１に示される通りであること以外は実施例１と同様にして収納箱を作製し、実施例１と同様の試験を行った。結果を表１に示す。なお、実施例５の収納箱は、は、一方の端部につき２個の切欠き部を有し（図７（e）参照）、実施例６は、一方の端部につき３個の切欠き部を有する（図７（ｆ）参照）。掩蓋片（１）の長手方向の端から２個目の切欠き部における各点をＡ２、Ｂ２およびＰ３とし、３個目の切欠き部における各点をＡ３、Ｂ３およびＰ３とする。２個目および３個目の切欠き部の角度θは１個目の角度θと同じである。
【００５８】
【表１】
2014141262.tif 000003
【００５９】
実施例１８〜２５および比較例５
切欠き部（９）とともに突出部（１０）を有し、掩蓋片（１）の端部の形状、各点の座標、角度θおよび角度αが表２に示される通りであること以外は実施例１と同様にして収納箱を作製し、実施例１と同様の試験を行った。結果を表２に示す。
【００６０】
【表２】
2014141262.tif 000004
【００６１】
実施例２６〜４０および参考例１〜５
図１３に示されるように、掩蓋片（１）の端部が突出部（１０）のみを有し、各点の座標および角度αが表３に示される通りであること以外は実施例１と同様にして収納箱を作製し、実施例１と同様の試験を行った。結果を表３に示す。なお、実施例３２の収納箱は、一方の端部につき２個の突出部を有し（図１３（ｃ）参照）、実施例３３は、一方の端部につき３個の突出部を有する（図１３（ｄ）参照）。掩蓋片（１）の長手方向の端から２個目の突出部における各点をＥ２およびＰ’２とし、３個目の突出部における各点をＥ３およびＰ’３とする。また、実施例２９、３６および３８ならびに参考例２および５では、収納したラップフィルムとして、実施例１と同様であるが、フィルムの横方向の両端にローレット加工を施したものを使用した。ローレット加工は、押え量０．２ｍｍ、加工幅０．６ｍｍ、加工速度４００ｍ／分の加工条件で行った。
【００６２】
【表３】
2014141262.tif 000005
【００６３】
参考例６〜２３
表４に記載のフィルム（厚み１０μｍ）を巻回したものを、表４に記載した実施例の収納箱に収納して、試験（１）および（２）を行った。また、フィルムの端部の引張試験（３）および切断ずれ量（δ）の測定（４）も行った。結果を表４に示す。
【００６４】
使用したフィルムは以下の通りである。
参考例６〜８：実施例１で使用したポリ（４−メチルペンテン−１）（ＴＰＸ）フィルム
参考例９〜１１：実施例２９で使用した、ローレット加工を施したＴＰＸフィルム
参考例１２〜１４：旭化成ホームプロダクツ（株）製のサランラップ（登録商標）（ポリ塩化ビニリデン（ＰＶＤＣ）フィルム）
参考例１５〜１７：参考例１２のＰＶＤＣフィルムに、実施例２９と同様にローレット加工を施したもの
参考例１８〜２０：宇部フィルム（株）製のポリラップ（商品名）（ポリエチレン（ＰＥ）フィルム）
参考例２１〜２３：参考例１８のＰＥフィルムに、実施例２９と同様にローレット加工を施したもの
【００６５】
【表４】
2014141262.tif 000006
【００６６】
表４に示されるように、フィルム端部の破断力が８Ｎ以下であり、フィルム端部の伸びが７０％であり、かつ切断ずれ量が２０ｍｍ以下であるフィルムを使用した参考例６〜１１および１５〜１７は、良好なカット性および耐久性を有するが、上記３つの要件のいずれかを満たさないフィルムを使用した参考例１２〜１４および１８〜２３は、カット性および耐久性に劣った。
【符号の説明】
【００６７】
１：掩蓋片
２：蓋面板
３：側面版
４：底面板
５：前面板
６：後面板
７：掩蓋片の後端縁
８：掩蓋片の先端縁
９：切欠き部
１０：突出部
１１：補強部材
１２：補強板
【図１】
2014141262.tif 000007
【図２】
2014141262.tif 000008
【図３】
2014141262.tif 000009
【図４】
2014141262.tif 000010
【図５】
2014141262.tif 000011
【図６】
2014141262.tif 000012
【図７】
2014141262.tif 000013
【図８】
2014141262.tif 000014
【図９】
2014141262.tif 000015
【図１０】
2014141262.tif 000016
【図１１】
2014141262.tif 000017
【図１２】
2014141262.tif 000018
【図１３】
2014141262.tif 000019
【図１４】
2014141262.tif 000020
【図１５】
2014141262.tif 000021
【図１６】
2014141262.tif 000022
【図１７】
2014141262.tif 000023